(57)【特許請求の範囲】
【請求項１】
前後方向奥側に上下方向に延設される基板の前面に、前方側に突出しつつ上下方向に配列された複数のＬＥＤと、
前後方向手前側に前記基板と略平行に上下方向に延設され、前記複数のＬＥＤの位置と同一高さとなる複数箇所それぞれに、複数の表示窓を上下方向に配列した表示シートと、
前記基板と前記表示シートとを接続しつつ前後方向に延設される側板を備えたパネルと、
同一高さにそれぞれ位置する前記ＬＥＤ及び前記表示窓の各組をそれぞれ前後方向に接続するように上下方向に配列され、各ＬＥＤからの光を各表示窓に導く複数の導光部、及び、それら複数の導光部の前後方向中間部を上下方向に連結する連結部、を備え、前記基板と前記パネルとに挟み込まれて固定される導光板と、
を有する電子機器のＬＥＤ表示構造において、
前記複数の導光部のそれぞれは、
固定状態において、各ＬＥＤの前方側に対向するように配置された後端部を備えており、
前記パネルは、
前記側板から左右方向に突出して設けられ、上下方向に配列される前記複数の導光部どうしの間の隙間をそれぞれ塞ぐとともに、前後方向の寸法が前記複数の導光部の前記後端部から前記導光板の前記連結部までの距離よりも小さい、発光を遮断する複数の凸部を一体形成にて備えている
ことを特徴とする電子機器のＬＥＤ表示構造。
【請求項２】
前記基板と前記パネルの間に挟みこまれた前記導光板は、前記基板と前記パネルと共にネジ止めして一体構造とされることを特徴とする請求項１記載の電子機器のＬＥＤ表示構造。
【請求項３】
請求項１または請求項２記載のＬＥＤ表示構造を持つ電子機器。
【発明の詳細な説明】
【技術分野】
【０００１】
本発明は、例えばモータ制御装置等の電子機器のＬＥＤ表示構造に関する。
【背景技術】
【０００２】
モータ制御装置等の電子機器において、基板上にＬＥＤ（Ｌｉｇｈｔ Ｅｍｉｔｔｉｎｇ Ｄｉｏｄｅ）を複数個直線状に並べ、電子機器外側のパネル上に設けられた表示窓に表示することがある。ここで、ＬＥＤと表示窓の間に距離がある場合、各ＬＥＤからの光を表示窓まで導くための導光材による導光部を使用するのが一般的である。また、複数のＬＥＤ用の導光部を一体に連結し、連なる導光部を有する導光板として取り扱いしやすくしているものがある。（例えば特許文献1参照）
図５〜図７に、従来の電子機器のＬＥＤ表示構造の例を示す。
図５は従来の電子機器のＬＥＤ表示部分の視認側から見た完成図である。図において、２は樹脂で出来ているパネルで、３はパネル２上に貼る表示シートで７ａ〜７ｄの表示窓があり、ここからＬＥＤの光が表示される。
図６は従来の電子機器のＬＥＤ表示に係る部分の分解斜視図である。図において、１は複数のＬＥＤを有する基板で、６ａ〜６ｄのＬＥＤが基板裏面に実装されている。４０は連なる柱状の導光部４０ａ〜４０ｄが一体に連結されている導光板で、透明な樹脂で出来ている。導光板４０は、パネル２にネジ止め、または溶着される。基板１とパネル２はネジ５でネジ止めされる。
図７は、従来の電子機器のＬＥＤ表示に係る部分の組み立て後の断面図である。ここで断面は図６のＸ−Ｘである。ＬＥＤ６ａ〜６ｄの光は導光部４０ａ〜４０ｄにより、視認側の表示窓７ａ〜７ｄに導かれる。
しかし、この従来例の構成では、ＬＥＤの間隔が狭くなった場合、或いはＬＥＤの輝度が高い場合等は、隣接するＬＥＤの光が隣の導光部を介して表示窓に漏れ、同色のＬＥＤの場合は輝度むら、異色のＬＥＤの場合は色むらが生じ、表示の誤認が起こる場合があった。この場合、ＬＥＤの輝度を調整し、表示の誤認が起きないようにしていた。
この光漏れの問題に対応するには、導光部と導光部の間を遮光することが提案されている。（例えば特許文献２、３参照）
【特許文献１】特開平５−３０３３４０号公報
【特許文献２】実公平７−２９６５３号公報
【特許文献３】特開２００４−２３３４６６号公報
【発明の開示】
【発明が解決しようとする課題】
【０００３】
図５〜図７に示す従来例では、上述した問題の他に、導光板の取り付けのばらつきにより、光漏れが大きくなる恐れがある。また、導光板を取り付け忘れた場合気がつかず、欠品不良となる問題もある。また、導光板を溶着する場合、溶着工程の管理、溶着状態の確認が必要で、組み立て工数が多くなる問題もある。
また、光漏れに対して特許文献２では、導光板に遮光穴があり、強度的に弱いので、例えば組み立て時に導光板が折れることがあるという問題がある。
また、特許文献３では、遮光構造はあるが、導光部と遮光部材の間の空隙が大きく、光が漏れる可能性がある。また、遮光部材が梯子上になっていて、構造が複雑で組み立てしづらいという問題もある。
本発明はこのような問題点に鑑みてなされたものであり、隣接するＬＥＤの光漏れを確実に防ぎ、ＬＥＤの輝度の調整を不要にすると共に、簡単な構造で強度的にも強く、組み立て工数が少なく、導光板取り付けのばらつきがなく、導光板を取り付け忘れた場合すぐに気がつき、欠品不良を防ぐことが可能な電子機器のＬＥＤ表示構造を提供することを目的とする。
【課題を解決するための手段】
【０００４】
上記問題を解決する為、本発明は、次のように構成したのである。
請求項１に記載の発明は、前後方向奥側に上下方向に延設される基板の前面に、前方側に突出しつつ上下方向に配列された複数のＬＥＤと、前後方向手前側に前記基板と略平行に上下方向に延設され、前記複数のＬＥＤの位置と同一高さとなる複数箇所それぞれに、複数の表示窓を上下方向に配列した表示シートと、前記基板と前記表示シートとを接続しつつ前後方向に延設される側板を備えたパネルと、同一高さにそれぞれ位置する前記ＬＥＤ及び前記表示窓の各組をそれぞれ前後方向に接続するように上下方向に配列され、各ＬＥＤからの光を各表示窓に導く複数の導光部、及び、それら複数の導光部の前後方向中間部を上下方向に連結する連結部、を備え、前記基板と前記パネルとに挟み込まれて固定される導光板と、を有する電子機器のＬＥＤ表示構造において、前記複数の導光部のそれぞれは、固定状態において、各ＬＥＤの前方側に対向するように配置された後端部を備えており、前記パネルは、前記側板から左右方向に突出して設けられ、上下方向に配列される前記複数の導光部どうしの間の隙間をそれぞれ塞ぐとともに、前後方向の寸法が前記複数の導光部の前記後端部から前記導光板の前記連結部までの距離よりも小さい、発光を遮断する複数の凸部を一体形成にて備えていることを特徴とするものである。
また、請求項２に記載の発明は、請求項１に記載の電子機器のＬＥＤ表示構造において、前記基板と前記パネルの間に挟みこまれた前記導光板は、前記基板と前記パネルと共にネジ止めして一体構造とされることを特徴とするものである。
【発明の効果】
【０００５】
請求項１、３に記載の発明によれば、パネルの内側に、パネルと一体に形成され、隣接する導光部の隙間にＬＥＤからの発光を遮断する凸部を備えるので、隣接するＬＥＤの光漏れを確実に防ぎ、ＬＥＤの輝度の調整を不要とすると共に、簡単な構造で強度的にも強く、組み立て工数が少ない。
更に、請求項２、３に記載の発明によれば、導光板は、基板とパネルの間に挟みこみ、基板とパネルと共にネジ止めして一体構造としているため、簡単な構造で強度的にも強く、組み立て工数が少なく、導光板取り付けのばらつきがなく、導光板を取り付け忘れた場合すぐに気がつき、欠品不良を防ぐことが可能となる。
【０００６】
以下、本発明の実施の形態について図を参照して説明する。
【実施例１】
【０００７】
本発明のＬＥＤ表示構造を持つ電子機器の視認側からの完成図は図５に示した従来の図と同様である。
図１は、本発明のＬＥＤ表示構造を持つ電子機器をＬＥＤ視認側から見た分解斜視図である。図において、１は基板で複数のＬＥＤ６ａ〜６ｄが直線状に実装されている。４は導光板で各ＬＥＤ６ａ〜６ｄに対する柱状の導光部４ａ〜４ｄが一体に連結されている構造で透明な樹脂で出来ている。８はパネル２の型抜き部で、ここからＬＥＤ６ａ〜６ｄの光が通過する。５は基板１をパネル２に固定するためのネジである。
図２は、図１とは異なる角度（パネルの裏面側）から見た本発明のＬＥＤ表示構造を持つ電子機器の分解斜視図である。ここで２ａはパネルに設けた凸部の形状でこの凸部２ａは柱状の導光部４ａ〜４ｄの隙間を塞ぐように形成されていて、隣接するＬＥＤ６ａ〜６ｄからの発光を遮断し、光漏れを防止する。また、導光板４はパネル２と基板１の間に挟み込み、基板１とパネル２と共に２本のネジ５でネジ止めして一体構造としている。
図３は、本発明のＬＥＤ表示構造を持つ電子機器の導光板を樹脂パネルに組み付けた図である。説明のため、導光板４の上に本来組み付けられる基板１は図示していない。
図４は本発明のＬＥＤ表示構造を持つ電子機器の組み立て後の断面図である。ここで断面は図２のＹ−Ｙである。ＬＥＤ６ａ〜６ｄの光は導光板４の導光部４ａ〜４ｄにより表示窓７ａ〜７ｄに導かれるが、パネル２の凸部２ａが導光部４ａ〜４ｄの隙間を塞ぎＬＥＤ６ａ〜６ｄの発光を遮断し、光が隣接する表示窓７ａ〜７ｄに漏れることを確実に防ぐ。
本発明が従来と異なる点は、パネル２に凸部２ａを設け、凸部２ａにより導光板４の導光部４ａ〜４ｄの隙間を塞ぐようにした点と、導光部４ａ〜４ｄが一体に連結されている導光板４を基板１とパネル２の間に挟みこみ、この基板１とパネル２と共にネジ止めして一体構造とするようにした点である。
【０００８】
このような構造とすることで、パネルの凸部と導光部とＬＥＤは隙間なく取り付けられるため、隣接するＬＥＤの光漏れを確実に防ぎ、ＬＥＤの輝度の調整を不要とすることが出来る。また、パネルの凸部を遮光に利用するため、遮光のための別部品が不要で、簡単な構造で強度的にも強く、組み立て工数が少ない。また、導光板は図２、図４に示すように各ＬＥＤの導光部が一体に連結されていて、基板とパネルの間に挟み込み、基板とパネルと共にネジ止めして一体構造としているので、簡単な構造で強度的にも強く、組み立て工数が少ない。また、導光板はガタなく固定されるので、取り付けのばらつきが生じない。また、導光板を取り付け忘れた場合、基板とパネルの間に段差が出来て、取り付け忘れにすぐに気がつくため、欠品不良を防ぐことが可能となる。
【図面の簡単な説明】
【０００９】
【図１】本発明のＬＥＤ表示構造を持つ電子機器をＬＥＤ視認側から見た分解斜視図
【図２】本発明のＬＥＤ表示構造を持つ電子機器の分解斜視図
【図３】本発明のＬＥＤ表示構造を持つ電子機器の導光板を樹脂パネルに組み付けた図
【図４】本発明のＬＥＤ表示構造を持つ電子機器の組み立て後の断面図
【図５】従来の電子機器のＬＥＤ表示部分の視認側から見た完成図
【図６】従来の電子機器のＬＥＤ表示に係る部分の分解斜視図
【図７】従来の電子機器のＬＥＤ表示に係る部分の組み立て後の断面図
【符号の説明】
【００１０】
１  基板
２  パネル
２a  凸部
３  表示シート
４  導光板
４ａ〜４ｄ  導光部
５  ネジ
６ａ〜６ｄ  ＬＥＤ
７ａ〜７ｄ  表示窓
８  型抜き部
【図１】
0005142083.tif 000002
【図２】
0005142083.tif 000003
【図３】
0005142083.tif 000004
【図４】
0005142083.tif 000005
【図５】
0005142083.tif 000006
【図６】
0005142083.tif 000007
【図７】
0005142083.tif 000008